(57)【要約】  ユーザにとって簡便な方法で車載移動局の開通を実現する。  ユーザは車両５０を購入すると、自身の通信装置１０及びその車両５０に搭載されている車載移動局６０を操作して、車載移動局６０のＳＩＭにプロファイルを書き込んで活性化させる。具体的には、ユーザは、通信装置１０を操作して、車載移動局６０のＳＩＭに書き込むべきプロファイルを契約情報管理装置４０に登録し、次に車載移動局６０を操作して、契約情報管理装置４０に登録されているプロファイルを車載移動局６０に書き込ませて活性化させる。
2020235626.tif 000002
【特許請求の範囲】
【請求項１】
車両に搭載される車載移動局のＳＩＭ（Subscriber Identity Module card）のＳＩＭ識別情報と、前記車載移動局に通信サービスを提供する通信事業者を特定する通信事業者特定情報とを取得する第１取得部と、
前記第１取得部により取得された前記ＳＩＭ識別情報及び前記通信事業者特定情報を、
前記車載移動局のユーザを認証する認証情報と対応付けて記憶する記憶部と、  
前記第１取得部により取得された前記通信事業者特定情報によって特定される前記通信事業者と前記ユーザとの間で通信サービスに関する契約がなされると、前記認証情報を前記ユーザの通信装置に通知する通知部と、
前記車載移動局において入力された認証情報と当該車載移動局のＳＩＭ識別情報とを、当該車載移動局から取得する第２取得部と、
前記第２取得部により取得された前記認証情報及び前記車載移動局のＳＩＭ識別情報と、前記記憶部によって記憶されている前記認証情報及び前記車載移動局のＳＩＭ識別情報とを照合してユーザ認証を行う認証部と、
前記ユーザ認証が成功すると、プロファイルが書き込まれている前記車載移動局のＳＩＭを活性化させる活性化部と
を備えることを特徴とする情報処理装置。
【請求項２】
車両に搭載される車載移動局のＳＩＭのＳＩＭ識別情報と、前記車載移動局に通信サービスを提供する通信事業者を特定する通信事業者特定情報とを取得する第１取得部と、
前記第１取得部により取得された前記ＳＩＭ識別情報及び前記通信事業者特定情報を、前記車載移動局のユーザを認証する認証情報と対応付けて記憶する記憶部と、
前記第１取得部により取得された前記通信事業者特定情報によって特定される前記通信事業者と前記ユーザとの間で通信サービスに関する契約がなされると、前記認証情報を前記ユーザの通信装置に通知する第１通知部と、
前記車載移動局から当該車載移動局のＳＩＭ識別情報を取得する第２取得部と、
前記第２取得部により取得された前記ＳＩＭ識別情報に対応付けて前記記憶部によって記憶されている通信事業者特定情報を、前記車載移動局に通知する第２通知部と、
前記車載移動局において入力された認証情報と当該車載移動局のＳＩＭ識別情報とを、当該車載移動局から取得する第３取得部と、
前記第３取得部により取得された前記認証情報及び前記車載移動局のＳＩＭ識別情報と、前記記憶部によって記憶されている前記認証情報及び前記車載移動局のＳＩＭ識別情報とを照合してユーザ認証を行う認証部と、
前記ユーザ認証が成功すると、プロファイルが書き込まれている前記車載移動局のＳＩＭを活性化させる活性化部と
を備えることを特徴とする情報処理装置。
【請求項３】
車両に搭載される車載移動局のＳＩＭのＳＩＭ識別情報と、前記車載移動局に通信サービスを提供する通信事業者を特定する通信事業者特定情報とを取得する第１取得部と、
前記第１取得部により取得された前記ＳＩＭ識別情報及び前記通信事業者特定情報を、前記車載移動局のユーザを認証する認証情報と対応付けて記憶する記憶部と、
前記第１取得部により取得された前記通信事業者特定情報によって特定される前記通信事業者と前記ユーザとの間で通信サービスに関する契約がなされると、前記認証情報を前記ユーザの通信装置に通知する第１通知部と、
前記車載移動局から当該車載移動局のＳＩＭ識別情報を取得する第２取得部と、
前記第２取得部により取得された前記ＳＩＭ識別情報に対応付けて前記記憶部によって記憶されている通信事業者特定情報及び認証情報を前記車載移動局に通知する第２通知部と、
前記車載移動局において前記認証情報を用いた認証が成功したのちに、プロファイルが書き込まれている前記車載移動局のＳＩＭを活性化させる活性化部と
を備えることを特徴とする情報処理装置。
【請求項４】
前記ユーザの前記通信装置は、前記車載移動局とは異なる移動局であり、
前記通信事業者特定情報は、前記移動局のＳＩＭに記憶されたＩＣＣＩＤ（IC Card Identifier）又はｅＩＤ（Embedded Identifier）である
ことを特徴とする請求項１〜３のいずれか１項に記載の情報処理装置。
【請求項５】
前記通信事業者特定情報は、前記ユーザにより指定された通信事業者を識別するＭＮＯＩＤ（MobileNetwork Operator Identifier）である
ことを特徴とする請求項１〜３のいずれか１項に記載の情報処理装置。
【請求項６】
車両に搭載される車載移動局と、
ユーザの通信装置と、
前記車載移動局のＳＩＭにプロファイルを書き込む契約情報管理装置と、
前記車載移動局のＳＩＭのＳＩＭ識別情報を記憶した車両情報管理装置と、
情報処理装置とを備え、
前記情報処理装置は、
前記車両情報管理装置から、前記車載移動局のＳＩＭのＳＩＭ識別情報と、前記車載移動局に通信サービスを提供する通信事業者を特定する通信事業者特定情報とを取得する第１取得部と、
前記第１取得部により取得された前記ＳＩＭ識別情報及び前記通信事業者特定情報を、前記車載移動局のユーザを認証する認証情報と対応付けて記憶する記憶部と、
前記第１取得部により取得された前記通信事業者特定情報によって特定される前記通信事業者と前記ユーザとの間で通信サービスに関する契約がなされると、前記認証情報を前記通  信装置に通知する通知部と、
前記車載移動局において入力された認証情報と当該車載移動局のＳＩＭ識別情報とを、当該車載移動局から取得する第２取得部と、
前記第２取得部により取得された前記認証情報及び前記車載移動局のＳＩＭ識別情報と、前記記憶部によって記憶されている前記認証情報及び前記車載移動局のＳＩＭ識別情報とを照合してユーザ認証を行う認証部と、
前記ユーザ認証が成功すると、前記契約情報管理装置によってプロファイルが書き込まれている前記車載移動局のＳＩＭを活性化させる活性化部とを備える
ことを特徴とする通信システム。
【請求項７】
車両に搭載される車載移動局と、
ユーザの通信装置と、
前記車載移動局のＳＩＭにプロファイルを書き込む契約情報管理装置と、
前記車載移動局のＳＩＭのＳＩＭ識別情報を記憶した車両情報管理装置と、
情報処理装置とを備え、
前記情報処理装置は、
前記車両情報管理装置から、前記車載移動局のＳＩＭのＳＩＭ識別情報と、前記車載移動局に通信サービスを提供する通信事業者を特定する通信事業者特定情報とを取得する第１取得部と、
前記第１取得部により取得された前記ＳＩＭ識別情報及び前記通信事業者特定情報を、前記車載移動局のユーザを認証する認証情報と対応付けて記憶する記憶部と、
前記第１取得部により取得された前記通信事業者特定情報によって特定される前記通信事業者と前記ユーザとの間で通信サービスに関する契約がなされると、前記認証情報を前記ユーザの通信装置に通知する第１通知部と、
前記車載移動局から当該車載移動局のＳＩＭ識別情報を取得する第２取得部と、
前記第２取得部により取得された前記ＳＩＭ識別情報に対応付けて前記記憶部によって記憶されている通信事業者特定情報を、前記車載移動局に通知する第２通知部と、
前記車載移動局において入力された認証情報と当該車載移動局のＳＩＭ識別情報とを、当該車載移動局から取得する第３取得部と、
前記第２取得部により取得された前記認証情報及び前記車載移動局のＳＩＭ識別情報と、前記記憶部によって記憶されている前記認証情報及び前記車載移動局のＳＩＭ識別情報とを照合してユーザ認証を行う認証部と、
前記ユーザ認証が成功すると、前記契約情報管理装置によってプロファイルが書き込まれている前記車載移動局のＳＩＭを活性化させる活性化部とを備える
ことを特徴とする通信システム。
【請求項８】
車両に搭載される車載移動局と、
ユーザの通信装置と、
前記車載移動局のＳＩＭにプロファイルを書き込む契約情報管理装置と、
前記車載移動局のＳＩＭのＳＩＭ識別情報を記憶した車両情報管理装置と、
情報処理装置とを備え、
前記情報処理装置は、
前記車両情報管理装置から、前記車載移動局のＳＩＭのＳＩＭ識別情報と、前記車載移動局に通信サービスを提供する通信事業者を特定する通信事業者特定情報とを取得する第１取得部と、
前記第１取得部により取得された前記ＳＩＭ識別情報及び前記通信事業者特定情報を、前記車載移動局のユーザを認証する認証情報と対応付けて記憶する記憶部と、
前記第１取得部により取得された前記通信事業者特定情報によって特定される前記通信事業者と前記ユーザとの間で通信サービスに関する契約がなされると、前記認証情報を前記ユーザの通信装置に通知する第１通知部と、
前記車載移動局から当該車載移動局のＳＩＭ識別情報を取得する第２取得部と、
前記第２取得部により取得された前記ＳＩＭ識別情報に対応付けて前記記憶部によって記憶されている通信事業者特定情報及び認証情報を前記車載移動局に通知する第２通知部と
前記車載移動局において前記認証情報を用いた認証が成功したのちに、前記契約情報管理装置によってプロファイルが書き込まれている前記車載移動局のＳＩＭを活性化させる活性化部とを備える
ことを特徴とする通信システム。
【発明の詳細な説明】
【技術分野】
【０００１】
本発明は、車載移動局において通信サービスを利用可能にするための技術に関する。
【背景技術】
【０００２】
移動局が通信サービスを受けるためには、ＳＩＭ（Subscriber Identity Module card）と呼ばれるＩＣ（Integrated Circuit）カードに、プロファイルと呼ばれる情報群を書き込み、さらにこのプロファイルを活性化させることが必要である。近年は、通信網経由でプロファイルを書き込み可能なｅＳＩＭ（Embedded SIM）が開発されている（例えば特許文献１参照）。これにより、例えば通信機能を含む車載機を製造する場合に、その製造メーカは輸出先となる国や地域ごとに異なるプロファイルを予め書き込んだＳＩＭを用意するのではなく、プロファイルを書き込んでいないｅＳＩＭを車載機に組み込んでおきさえすればよい。この場合、その車載機のユーザが、輸出先でそのｅＳＩＭにプロファイルを書き込むための作業を行って、車載機において通信サービスを利用可能にすればよい。
【先行技術文献】
【特許文献】
【０００３】
【特許文献１】特開２０１７−１９５４５５号公報
【発明の概要】
【発明が解決しようとする課題】
【０００４】
ユーザが車載の移動局のｅＳＩＭにプロファイルを書き込んで活性化させるための作業はできるだけ簡便なほうが望ましい。そこで、本発明は、ユーザにとって簡便な方法で車載移動局の開通を実現することを目的とする。
【課題を解決するための手段】
【０００５】
上記課題を解決するため、本発明は、車両に搭載される車載移動局のＳＩＭ（Subscriber IdentityModule card）のＳＩＭ識別情報と、前記車載移動局に通信サービスを提供する通信事業者を特定する通信事業者特定情報とを取得する第１取得部と、前記第１取得部により取得された前記ＳＩＭ識別情報及び前記通信事業者特定情報を、前記車載移動局のユーザを認証する認証情報と対応付けて記憶する記憶部と、前記第１取得部により取得された前記通信事業者特定情報によって特定される前記通信事業者と前記ユーザとの間で通信サービスに関する契約がなされると、前記認証情報を前記ユーザの通信装置に通知する通知部と、前記車載移動局において入力された認証情報と当該車載移動局のＳＩＭ識別情報とを、当該車載移動局から取得する第２取得部と、前記第２取得部により取得された前記認証情報及び前記車載移動局のＳＩＭ識別情報と、前記記憶部によって記憶されている前記認証情報及び前記車載移動局のＳＩＭ識別情報とを照合してユーザ認証を行う認証部と、前記ユーザ認証が成功すると、プロファイルが書き込まれている前記車載移動局のＳＩＭを活性化させる活性化部とを備えることを特徴とする情報処理装置を提供する。【０００６】
また、本発明は、車両に搭載される車載移動局のＳＩＭのＳＩＭ識別情報と、前記車載移動局に通信サービスを提供する通信事業者を特定する通信事業者特定情報とを取得する第１取得部と、前記第１取得部により取得された前記ＳＩＭ識別情報及び前記通信事業者特定情報を、前記車載移動局のユーザを認証する認証情報と対応付けて記憶する記憶部と、前記第１取得部により取得された前記通信事業者特定情報によって特定される前記通信事業者と前記ユーザとの間で通信サービスに関する契約がなされると、前記認証情報を前記ユーザの通信装置に通知する第１通知部と、前記車載移動局から当該車載移動局のＳＩＭ識別情報を取得する第２取得部と、前記第２取得部により取得された前記ＳＩＭ識別情報に対応付けて前記記憶部によって記憶されている通信事業者特定情報を、前記車載移動局に通知する第２通知部と、前記車載移動局において入力された認証情報と当該車載移動局のＳＩＭ識別情報とを、当該車載移動局から取得する第３取得部と、前記第３取得部により取得された前記認証情報及び前記車載移動局のＳＩＭ識別情報と、前記記憶部によって記憶されている前記認証情報及び前記車載移動局のＳＩＭ識別情報とを照合してユーザ認証を行う認証部と、前記ユーザ認証が成功すると、プロファイルが書き込まれている前記車載移動局のＳＩＭを活性化させる活性化部とを備えることを特徴とする情報処理装置を提供する。【０００７】
また、本発明は、車両に搭載される車載移動局のＳＩＭのＳＩＭ識別情報と、前記車載移動局に通信サービスを提供する通信事業者を特定する通信事業者特定情報とを取得する第１取得部と、前記第１取得部により取得された前記ＳＩＭ識別情報及び前記通信事業者特定情報を、前記車載移動局のユーザを認証する認証情報と対応付けて記憶する記憶部と、前記第１取得部により取得された前記通信事業者特定情報によって特定される前記通信事業者と前記ユーザとの間で通信サービスに関する契約がなされると、前記認証情報を前記ユーザの通信装置に通知する第１通知部と、前記車載移動局から当該車載移動局のＳＩＭ識別情報を取得する第２取得部と、前記第２取得部により取得された前記ＳＩＭ識別情報に対応付けて前記記憶部によって記憶されている通信事業者特定情報及び認証情報を前記車載移動局に通知する第２通知部と、前記車載移動局において前記認証情報を用いた認証が成功したのちに、プロファイルが書き込まれている前記車載移動局のＳＩＭを活性化させる活性化部とを備えることを特徴とする情報処理装置を提供する。【０００８】
前記ユーザの前記通信装置は、前記車載移動局とは異なる移動局であり、前記通信事業者特定情報は、前記移動局のＳＩＭに記憶されたＩＣＣＩＤ（IC Card Identifier）又はｅＩＤ（Embedded Identifier）であってもよい。【０００９】
前記通信事業者特定情報は、前記ユーザにより指定された通信事業者を識別するＭＮＯＩＤ（MobileNetwork Operator Identifier）であってもよい。【００１０】
また、本発明は、車両に搭載される車載移動局と、ユーザの通信装置と、前記車載移動局のＳＩＭにプロファイルを書き込む契約情報管理装置と、前記車載移動局のＳＩＭのＳＩＭ識別情報を記憶した車両情報管理装置と、情報処理装置とを備え、前記情報処理装置は、前記車両情報管理装置から、前記車載移動局のＳＩＭのＳＩＭ識別情報と、前記車載移動局に通信サービスを提供する通信事業者を特定する通信事業者特定情報とを取得する第１取得部と、前記第１取得部により取得された前記ＳＩＭ識別情報及び前記通信事業者特定情報を、前記車載移動局のユーザを認証する認証情報と対応付けて記憶する記憶部と、前記第１取得部により取得された前記通信事業者特定情報によって特定される前記通信事業者と前記ユーザとの間で通信サービスに関する契約がなされると、前記認証情報を前記通信装置に通知する通知部と、前記車載移動局において入力された認証情報と当該車載移動局のＳＩＭ識別情報とを、当該車載移動局から取得する第２取得部と、前記第２取得部により取得された前記認証情報及び前記車載移動局のＳＩＭ識別情報と、前記記憶部によって記憶されている前記認証情報及び前記車載移動局のＳＩＭ識別情報とを照合してユーザ認証を行う認証部と、前記ユーザ認証が成功すると、前記契約情報管理装置によってプロファイルが書き込まれている前記車載移動局のＳＩＭを活性化させる活性化部とを備えることを特徴とする通信システムを提供する。【００１１】
また、本発明は、車両に搭載される車載移動局と、ユーザの通信装置と、前記車載移動局のＳＩＭにプロファイルを書き込む契約情報管理装置と、前記車載移動局のＳＩＭのＳＩＭ識別情報を記憶した車両情報管理装置と、情報処理装置とを備え、前記情報処理装置は、前記車両情報管理装置から、前記車載移動局のＳＩＭのＳＩＭ識別情報と、前記車載移動局に通信サービスを提供する通信事業者を特定する通信事業者特定情報とを取得する第１取得部と、前記第１取得部により取得された前記ＳＩＭ識別情報及び前記通信事業者特定情報を、前記車載移動局のユーザを認証する認証情報と対応付けて記憶する記憶部と、前記第１取得部により取得された前記通信事業者特定情報によって特定される前記通信事業者と前記ユーザとの間で通信サービスに関する契約がなされると、前記認証情報を前記ユーザの通信装置に通知する第１通知部と、前記車載移動局から当該車載移動局のＳＩＭ識別情報を取得する第２取得部と、前記第２取得部により取得された前記ＳＩＭ識別情報に対応付けて前記記憶部によって記憶されている通信事業者特定情報を、前記車載移動局に通知する第２通知部と、前記車載移動局において入力された認証情報と当該車載移動局のＳＩＭ識別情報とを、当該車載移動局から取得する第３取得部と、前記第３取得部により取得された前記認証情報及び前記車載移動局のＳＩＭ識別情報と、前記記憶部によって記憶されている前記認証情報及び前記車載移動局のＳＩＭ識別情報とを照合してユーザ認証を行う認証部と、前記ユーザ認証が成功すると、前記契約情報管理装置によってプロファイルが書き込まれている前記車載移動局のＳＩＭを活性化させる活性化部とを備えることを特徴とする通信システムを提供する。【００１２】
また、本発明は、車両に搭載される車載移動局と、ユーザの通信装置と、前記車載移動局のＳＩＭにプロファイルを書き込む契約情報管理装置と、前記車載移動局のＳＩＭのＳＩＭ識別情報を記憶した車両情報管理装置と、情報処理装置とを備え、前記情報処理装置は、前記車両情報管理装置から、前記車載移動局のＳＩＭのＳＩＭ識別情報と、前記車載移動局に通信サービスを提供する通信事業者を特定する通信事業者特定情報とを取得する第１取得部と、前記第１取得部により取得された前記ＳＩＭ識別情報及び前記通信事業者特定情報を、前記車載移動局のユーザを認証する認証情報と対応付けて記憶する記憶部と、前記第１取得部により取得された前記通信事業者特定情報によって特定される前記通信事業者と前記ユーザとの間で通信サービスに関する契約がなされると、前記認証情報を前記ユーザの通信装置に通知する第１通知部と、前記車載移動局から当該車載移動局のＳＩＭ識別情報を取得する第２取得部と、前記第２取得部により取得された前記ＳＩＭ識別情報に対応付けて前記記憶部によって記憶されている通信事業者特定情報及び認証情報を前記車載移動局に通知する第２通知部と、前記車載移動局において前記認証情報を用いた認証が成功したのちに、前記契約情報管理装置によってプロファイルが書き込まれている前記車載移動局のＳＩＭを活性化させる活性化部とを備えることを特徴とする通信システムを提供する。
【発明の効果】
【００１３】
本発明によれば、ユーザにとって簡便な方法で車載移動局の開通を実現することが可能となる。
【図面の簡単な説明】
【００１４】
【図１】本発明の一実施形態に係る通信システム１の構成を例示する図である。
【図２】通信装置１０のハードウェア構成の一例を示すブロック図である。
【図３】情報処理装置２０のハードウェア構成の一例を示すブロック図である。
【図４】車載移動局６０のハードウェア構成の一例を示すブロック図である。
【図５】通信システム１におけるプロファイル登録動作の第１の動作例を示すシーケンスチャートである。
【図６】車両情報管理装置３０が記憶する情報の一例を示す図である。
【図７】情報処理装置２０が記憶する情報の一例を示す図である。
【図８】情報処理装置２０が記憶する情報の一例を示す図である。
【図９】通信システム１におけるプロファイル登録動作の第２の動作例を示すシーケンスチャートである。
【図１０】プロファイル登録動作の第２の動作例において、情報処理装置２０が記憶する情報の一例を示す図である。
【図１１】通信システム１におけるプロファイル書込動作の第１の動作例を示すシーケンスチャートである。
【図１２】通信システム１におけるプロファイル書込動作の第２の動作例を示すシーケンスチャートである。
【図１３】通信システム１におけるプロファイル書込動作の第３の動作例を示すシーケンスチャートである。
【図１４】通信システム１の機能構成の第１の例を示すブロック図である。
【図１５】通信システム１の機能構成の第２の例を示すブロック図である。
【図１６】通信システム１の機能構成の第３の例を示すブロック図である。
【図１７】通信システム１におけるプロファイル登録動作の変形例を示すシーケンスチャートである。
【図１８】上記変形例において情報処理装置２０が記憶する情報の一例を示す図である。
【図１９】上記変形例において通信システム１におけるプロファイル書込動作を示すシーケンスチャートである。
【図２０】上記変形例において車両情報管理装置３０が記憶する情報の一例を示す図である。
【発明を実施するための形態】
【００１５】
図１は、本発明の一実施形態に係る通信システム１の一例を示す図である。通信システム１は、ユーザによって利用される通信装置１０と、この通信装置１０と通信網２を介して接続される情報処理装置２０、車両情報管理装置３０及び契約情報管理装置４０と、車両５０に搭載された移動局である車載移動局６０とを備えている。通信網２は、例えばＬＴＥ（Long Term Evolution）規格に従う移動通信網及びインターネット等の固定通信網を含む。
【００１６】
通信装置１０は、ユーザによって利用される移動局やパーソナルコンピュータ等の通信機能を備えたコンピュータである。車両情報管理装置３０は、例えば車両製造メーカの管理下に置かれたコンピュータであり、車両５０とその車両５０に搭載された車載移動局６０との対応関係等の、車両５０に関する情報を管理する。車載移動局６０は、通信網２に含まれる移動通信網経由でプロファイルが書き込まれるＳＩＭ（Subscriber Identity Module card）を内蔵している。このような遠隔からプロファイルを書き込み可能なＳＩＭは、例えばｅＳＩＭ（Embedded SIM）と呼ばれている。契約情報管理装置４０は、通信網２に含まれる移動通信網を介して移動局に通信サービスを提供する通信事業者の管理下に置かれたコンピュータである。契約情報管理装置４０は、通信サービスの契約に関する情報を記憶する機能や、車載移動局６０のＳＩＭに対して移動通信網経由でプロファイルを書き込む機能を含む。契約情報管理装置４０は、単一の装置で構成されている必要はなく、複数の装置群で構成されていてもよい。なお、通信装置１０、情報処理装置２０、車両情報管理装置３０、契約情報管理装置４０、車両５０、及び車載移動局６０の数は、図１の例に限定されない。特に契約情報管理装置４０は、通信事業者の数だけ、複数存在する。
【００１７】
ユーザは車両５０を購入すると、自身の通信装置１０及びその車両５０に搭載されている車載移動局６０を操作して、車載移動局６０のＳＩＭにプロファイルを書き込んで活性化させる。具体的には、ユーザは、まず通信装置１０を操作して、車載移動局６０のＳＩＭに書き込むべきプロファイルを契約情報管理装置４０に登録し、次に車載移動局６０を操作して、契約情報管理装置４０に登録されているプロファイルを車載移動局６０に書き込ませて活性化させる。
【００１８】
図２は、通信装置１０のハードウェア構成を示す図である。ここでは、通信装置１０が移動局である場合を例に挙げて説明する。移動局である通信装置１０は、物理的には、プロセッサ１００１、メモリ１００２、ストレージ１００３、通信装置１００４、入力装置１００５、出力装置１００６、ＳＩＭ１００７及びこれらを接続するバスなどを含むコンピュータとして構成されている。これらの各装置は図示せぬ電池から供給される電力によって動作する。なお、以下の説明では、「装置」という文言は、回路、デバイス、ユニットなどに読み替えることができる。通信装置１０のハードウェア構成は、図に示した各装置を１つ又は複数含むように構成されてもよいし、一部の装置を含まずに構成されてもよい。また、それぞれ筐体が異なる複数の装置が通信接続されて、通信装置１０を構成してもよい。
【００１９】
通信装置１０における各機能は、プロセッサ１００１、メモリ１００２などのハードウェア上に所定のソフトウェア（プログラム）を読み込ませることによって、プロセッサ１００１が演算を行い、通信装置１００４による通信を制御したり、メモリ１００２及びストレージ１００３におけるデータの読み出し及び書き込みの少なくとも一方を制御したりすることによって実現される。
【００２０】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central Processing Unit）によって構成されてもよい。また、例えばベースバンド信号処理部や呼処理部などがプロセッサ１００１によって実現されてもよい。
【００２１】
プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、後述する動作の少なくとも一部をコンピュータに実行させるプログラムが用いられる。通信装置１０の機能ブロックは、メモリ１００２に格納され、プロセッサ１００１において動作する制御プログラムによって実現されてもよい。各種の処理は、１つのプロセッサ１００１によって実行されてもよいが、２以上のプロセッサ１００１により同時又は逐次に実行されてもよい。プロセッサ１００１は、１以上のチップによって実装されてもよい。なお、プログラムは、電気通信回線を介して通信網２から通信装置１０に送信されてもよい。
【００２２】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically  Erasable  Programmable  ＲＯＭ）、ＲＡＭ（Random  Access  Memory）などの少なくとも１つによって構成されてもよい。メモリ１００２は、レジスタ、キャッシュ、メインメモリ（主記憶装置）などと呼ばれてもよい。メモリ１００２は、本実施形態に係る方法を実施するために実行可能なプログラム（プログラムコード）、ソフトウェアモジュールなどを保存することができる。
【００２３】
ストレージ１００３は、コンピュータ読み取り可能な記録媒体であり、例えば、ＣＤ−ＲＯＭ（CompactDisc ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つによって構成されてもよい。ストレージ１００３は、補助記憶装置と呼ばれてもよい。ストレージ１００３は、通信装置１０が後述する動作を行うための手順が記述されたプログラムを記憶している。
【００２４】
通信装置１００４は、移動通信網を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency Division Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、送受信アンテナ、アンプ部、送受信部、伝送路インターフェースなどは、通信装置１００４によって実現されてもよい。送受信部は、送信部と受信部とで、物理的に、又は論理的に分離された実装がなされてもよい。
【００２５】
入力装置１００５は、外部からの入力を受け付ける入力デバイス（例えば、キー、マイクロフォン、スイッチ、ボタン、カメラなど）である。出力装置１００６は、外部への出力を実施する出力デバイス（例えば、ディスプレイ、スピーカー、LEDランプなど）であ
る。
【００２６】
ＳＩＭ１００７は、移動局である通信装置１０が通信サービスを受けるために必要なプロファイルを記憶するＩＣ（IntegratedCircuit）カードである。通信装置１０が移動局である場合、このＳＩＭ１００７は、プロファイルを遠隔で書き込み可能なｅＳＩＭであってもよいし、そのような遠隔書き込みができない通常のＳＩＭであってもよい。ｅＳＩＭにはｅＩＤ（Embedded Identifier）と呼ばれるＳＩＭ識別情報が記憶される。通常のＳＩＭにはＩＣＣＩＤ（IC Card Identifier）と呼ばれるＳＩＭ識別情報が記憶される。ｅＩＤ及びＩＣＣＩＤのいずれにも、通信事業者を特定する通信事業者特定情報が含まれている。例えばＩＣＣＩＤは最長１９桁の数字からなる番号であるが、最初の２桁の数字は通信業界を表しており、続く５桁の数字は国番号と通信事業者の識別番号の組み合わせである。この５桁の数字が通信事業者特定情報に相当する。ｅＳＩＭにおいても同様の手法で通信事業者特定情報が含まれている。
【００２７】
プロセッサ１００１、メモリ１００２などの各装置は、情報を通信するためのバスによって接続される。バスは、単一のバスを用いて構成されてもよいし、装置間ごとに異なるバスを用いて構成されてもよい。
【００２８】
通信装置１０は、マイクロプロセッサ、デジタル信号プロセッサ（ＤＳＰ：Digital SignalProcessor）、ＡＳＩＣ（Application Specific Integrated Circuit）、ＰＬＤ（Programmable  Logic Device）、ＦＰＧＡ（Field Programmable Gate Array）などのハードウェアを含んで構成されてもよく、当該ハードウェアにより、各機能ブロックの一部又は全てが実現されてもよい。例えば、プロセッサ１００１は、これらのハードウェアの少なくとも１つを用いて実装されてもよい。なお、通信装置１０のハードウェア構成は、図に示した各装置を１つ又は複数含むように構成されてもよいし、一部の装置を含まずに構成されてもよい。また、それぞれ筐体が異なる複数の装置が通信接続されて、通信装置１０を構成してもよい。
【００２９】
なお、通信装置１０がパーソナルコンピュータである場合には、物理的には、図２に例示したプロセッサ１００１、メモリ１００２、ストレージ１００３、通信装置１００４、入力装置１００５、出力装置１００６、及びこれらを接続するバスなどを備えているが、ＳＩＭ１００７は必須ではない。
【００３０】
図３は、情報処理装置２０のハードウェア構成を示す図である。情報処理装置２０は、物理的には、プロセッサ２００１、メモリ２００２、ストレージ２００３、通信装置２００４、入力装置２００５、出力装置２００６及びこれらを接続するバスなどを含むコンピュータ装置として構成されている。情報処理装置２０における各機能は、プロセッサ２００１、メモリ２００２などのハードウェア上に所定のソフトウェア（プログラム）を読み込ませることによって、プロセッサ２００１が演算を行い、通信装置２００４による通信を制御したり、メモリ２００２及びストレージ２００３におけるデータの読み出し及び書き込みの少なくとも一方を制御したりすることによって実現される。プロセッサ２００１、メモリ２００２、ストレージ２００３、通信装置２００４、入力装置２００５、出力装置２００６及びこれらを接続するバスは、通信装置１０について説明したプロセッサ１００１、メモリ１００２、ストレージ１００３、通信装置１００４、入力装置１００５、出力装置１００６及びこれらを接続するバスと、ハードウェアとしては同様であるため、その説明を省略する。なお、情報処理装置２０のハードウェア構成は、図に示した各装置を１つ又は複数含むように構成されてもよいし、一部の装置を含まずに構成されてもよい。また、それぞれ筐体が異なる複数の装置が通信接続されて、情報処理装置２０を構成してもよい。
【００３１】
車両情報管理装置３０及び契約情報管理装置４０のハードウェア構成は、情報処理装置２０と同様であるため、説明を省略する。
【００３２】
図４は、車載移動局６０のハードウェア構成を示す図である。車載移動局６０は、例えばカーナビゲーション装置等の車載機器に含まれるか、又は、そのような車載機器と一体に構成されたコンピュータである。車載移動局６０は、物理的には、プロセッサ６００１、メモリ６００２、ストレージ６００３、通信装置６００４、入力装置６００５、出力装置６００６、ＳＩＭ６００７及びこれらを接続するバスなどを含むコンピュータ装置として構成されている。車載移動局６０における各機能は、プロセッサ６００１、メモリ６００２などのハードウェア上に所定のソフトウェア（プログラム）を読み込ませることによって、プロセッサ６００１が演算を行い、通信装置６００４による通信を制御したり、メモリ６００２及びストレージ６００３におけるデータの読み出し及び書き込みの少なくとも一方を制御したりすることによって実現される。プロセッサ６００１、メモリ６００２、ストレージ６００３、通信装置６００４、入力装置６００５、出力装置６００６及びこれらを接続するバスは、通信装置１０について説明したプロセッサ１００１、メモリ１００２、ストレージ１００３、通信装置１００４、入力装置１００５、出力装置１００６及びこれらを接続するバスと、ハードウェアとしては同様であるため、その説明を省略する。ただし、ＳＩＭ６００７は、プロファイルを遠隔で書き込み可能なｅＳＩＭである。よって、ＳＩＭ６００７には、前述したｅＩＤと呼ばれるＳＩＭ識別情報が記憶される。
【００３３】
次に、通信システム１の動作例について説明する。通信システム１の動作は、（１）ユーザが通信装置１０を操作して車載移動局６０用のプロファイルを契約情報管理装置４０に登録するまでのプロファイル登録動作と、（２）ユーザが車載移動局６０を操作して契約情報管理装置４０に登録されているプロファイルを車載移動局６０に書き込んで活性化させるプロファイル書込動作とに大別される。以下では、（１）プロファイル登録動作として２つの動作例を説明し、（２）プロファイル書込動作として３つの動作例を説明する。（１）プロファイル登録動作として２つの動作例と、（２）プロファイル書込動作として３つの動作例との組み合わせ方は任意である。
【００３４】
なお、以下の説明において、情報処理装置２０を処理の主体として記載する場合には、具体的にはプロセッサ２００１、メモリ２００２などのハードウェア上に所定のソフトウェア（プログラム）を読み込ませることで、プロセッサ２００１が演算を行い、通信装置２００４による通信や、メモリ２００２及びストレージ２００３におけるデータの読み出し及び／又は書き込みを制御することにより、処理が実行されることを意味する。通信装置１０、車両情報管理装置３０、契約情報管理装置４０及び車載移動局６０についても同様である。
【００３５】
（１−１）プロファイル登録動作の第１の動作例
図５は、プロファイル登録動作の第１の動作例を示すシーケンスチャートである。この第１の動作例では、通信装置１０は移動局であり、ユーザは通信装置１０（移動局）に通信サービスを提供する通信事業者との間で、自身が購入した車両の車載移動局６０の通信サービス契約を行うことを前提とする。
【００３６】
図５において、ユーザは、移動局である通信装置１０を用いて車両情報管理装置３０にアクセスし、例えばユーザＩＤ及びパスワード等の入力を経てログインを行う（ステップＳ１１）。車両情報管理装置３０は、図６に例示するように、各ユーザを識別するユーザＩＤと、そのユーザが購入した車両５０を識別する車両識別情報（例えば「Ｃ００１」）と、その車両５０の車載移動局６０のＳＩＭ６００７を識別するＳＩＭ識別情報（例えば「ｅＩＤ００１」）とを対応付けた状態で自装置のストレージに予め記憶している。ユーザがユーザＩＤを用いて車両情報管理装置３０にログインすると、車両情報管理装置３０は、そのユーザＩＤに基づいて、そのユーザが購入した車両５０とその車両５０の車載移動局６０のＳＩＭとを特定する。
【００３７】
車両情報管理装置３０へのログインがなされた後に、通信装置１０は、自装置のＳＩＭ１００７からＳＩＭ識別情報を読み出し、車両情報管理装置３０に送信する。このＳＩＭ識別情報（ここではＩＣＣＩＤとする）は前述したように、通信事業者を特定する通信事業者特定情報に相当する。つまり、通信装置１０は、自装置に通信サービスを提供する通信事業者の通信事業者特定情報（例えば「ＩＣＣＩＤ００１」）を車両情報管理装置３０に送信することになる（ステップＳ１２）。
【００３８】
車両情報管理装置３０は、通信事業者特定情報（例えば「ＩＣＣＩＤ００１」）を取得すると、その通信事業者特定情報と、車両情報管理装置３０において上記ユーザに対応するものとして特定された車載移動局６０のＳＩＭ６００７のＳＩＭ識別情報（例えば「ｅＩＤ００１」）とを、情報処理装置２０に送信する（ステップＳ１３）。
【００３９】
情報処理装置２０は、図７に示すように、取得した通信事業者特定情報（例えば「ＩＣＣＩＤ００１」）及びＳＩＭ識別情報（例えば「ｅＩＤ００１」）を対応付けてストレージ２００３に記憶する（ステップＳ１４）。図７に示すように、情報処理装置２０は、「通信事業者特定情報」及び「ＳＩＭ識別情報」というレコードに対応付けて、「契約有無」及び「認証情報」というレコードを記憶している。「契約有無」は、通信事業者によって提供される通信サービスの契約を行ったか否かを意味する情報である。認証情報は、（２）プロファイルの書込動作においてユーザを認証するための情報である。このステップＳ１４の時点で、「通信事業者特定情報」及び「ＳＩＭ識別情報」に対応する「契約有無」として「契約有り」が記憶されている場合、情報処理装置２０は、通信サービスの契約が既にある旨を車両情報管理装置３０又は通信装置１０に対して応答する。
【００４０】
そして、情報処理装置２０は、通信事業者特定情報を解析して、通信事業者を特定する（ステップＳ１５）。つまり、移動局である通信装置１０に通信サービスを提供する通信事業者が特定されることになる。情報処理装置２０は、各通信事業者の契約情報管理装置４０の通信アドレス（接続先）を予めストレージ２００３に記憶している。そして、情報処理装置２０は、特定した通信事業者の契約情報管理装置４０に対して、上記通信事業者特定情報（例えば「ＩＣＣＩＤ００１」）とＳＩＭ識別情報（例えば「ｅＩＤ００１」）とを送信する（ステップＳ１６）。
【００４１】
契約情報管理装置４０は、取得した通信事業者特定情報（例えば「ＩＣＣＩＤ００１」）及びＳＩＭ識別情報（例えば「ｅＩＤ００１」）に基づいて、通信装置１０において例えばユーザの本人確認のための情報の入力を求める等して、自装置に対応する移動通信網を介した通信サービスに関する契約処理を行い（ステップＳ１７）、所定の契約情報を自装置のストレージに登録する（ステップＳ１８）。契約情報管理装置４０は、契約情報の登録が完了すると、契約完了通知を情報処理装置２０に送信する（ステップＳ１９）。この後、契約情報管理装置４０は、上記ＳＩＭ識別情報（例えば「ｅＩＤ００１」）に対応付けて、そのＳＩＭ識別情報によって識別されるＳＩＭ６００７に書き込むべきプロファイルを自装置のストレージに登録する（ステップＳ２３）。
【００４２】
情報処理装置２０は、契約完了通知を取得すると、所定のアルゴリズムに従いパスワード等の認証情報（例えば「ＰＡＳＳ００１」）を生成する（ステップＳ２０）。そして、情報処理装置２０は、図８に示すように、上記の通信事業者特定情報（例えば「ＩＣＣＩＤ００１」）及びＳＩＭ識別情報（例えば「ｅＩＤ００１」）に対応付けて、生成した認証情報（例えば「ＰＡＳＳ００１」）をストレージ２００３に記憶する（ステップＳ２１）。このとき、情報処理装置２０は、通信サービスの契約有無について、「契約有り」という情報も併せて記憶する。そして、情報処理装置２０は、記憶した認証情報を通信装置１０に送信する（ステップＳ２２）。通信装置１０は、取得した認証情報を表示する等して、ユーザに提示する。
【００４３】
（１−２）プロファイル登録動作の第２の動作例
次に、図９は、プロファイル登録動作の第２の動作例を示すシーケンスチャートである。第１の動作例では通信装置１０が移動局であることが前提であったが、この第２の動作例では、通信装置１０は移動局であってもよいしパーソナルコンピュータであってもよい。また、第１の動作例では、ユーザは通信装置１０（移動局）に通信サービスを提供する通信事業者との間で、自身が購入した車両の車載移動局６０の通信サービス契約を行うことを前提としていたが、この第２の動作例では、ユーザは任意の通信事業者との間で車載移動局６０の通信サービス契約を行うことができる。
【００４４】
図９において、ユーザは、通信装置１０を用いて車両情報管理装置３０にアクセスし、例えばユーザＩＤ及びパスワード等の入力を経てログインを行う（ステップＳ３１）。車両情報管理装置３０は、第１の動作例と同様に、各ユーザが購入した車両５０を識別する車両識別情報（例えば「Ｃ００１」）と、その車両５０の車載移動局６０のＳＩＭ６００７を識別するＳＩＭ識別情報（例えば「ｅＩＤ００１」）とを対応付けた状態で予め記憶している（図６参照）。ユーザが車両情報管理装置３０にログインすると、車両情報管理装置３０によってそのユーザが識別されるから、そのユーザが購入した車両５０とその車両５０の車載移動局６０のＳＩＭとが特定されることになる。
【００４５】
車両情報管理装置３０へのログインがなされた後に、ユーザは通信装置１０を操作して、車載移動局６０の通信サービスの契約先として自身が望む通信事業者を指定する。このとき、車両情報管理装置３０は、ユーザによる指定が容易となるように、通信事業者の一覧等を通信装置１０に表示させるようにしてもよい。通信装置１０はこの指定操作を受け付けると（ステップＳ３２）、指定された通信事業者を特定する通信事業者特定情報（ここではＭＮＯＩＤ（Mobile Network Operator Identifier）とし、例えば「ＭＮＯＩＤ００１」とする）を、車両情報管理装置３０に送信する（ステップＳ３３）。
【００４６】
車両情報管理装置３０は、通信事業者特定情報（例えば「ＭＮＯＩＤ００１」）を取得すると、その通信事業者特定情報と、車両情報管理装置３０において上記ユーザに対応するものとして特定された車載移動局６０のＳＩＭ識別情報（例えば「ｅＩＤ００１」）とを、情報処理装置２０に送信する（ステップＳ３４）。
【００４７】
情報処理装置２０は、図１０に示すように、取得した通信事業者特定情報（例えば「ＭＮＯＩＤ００１」）及びＳＩＭ識別情報（例えば「ｅＩＤ００１」）を対応付けて記憶する（ステップＳ３５）。そして、情報処理装置２０は、上記通信事業者特定情報（例えば「ＭＮＯＩＤ００１」）によって特定される通信事業者の契約情報管理装置４０に対して、上記通信事業者特定情報（例えば「ＭＮＯＩＤ００１」）とＳＩＭ識別情報（例えば「ｅＩＤ００１」）とを送信する（ステップＳ３６）。この後は、第１の動作例と同様に、ステップＳ１７〜Ｓ２３の処理がなされることになる。
【００４８】
以上に説明したプロファイル登録動作により、契約情報管理装置４０において、車載移動局６０のＳＩＭ６００７のＳＩＭ識別情報と、そのＳＩＭに書き込むべきプロファイルとが対応付けられた状態となる。
【００４９】
次に、契約情報管理装置４０にて用意されたプロファイルを車載移動局６０のＳＩＭに書き込む書込動作について説明する。
【００５０】
（２−１）プロファイル書込動作の第１の動作例
図１１は、プロファイル書込動作の第１の動作例を示すシーケンスチャートである。ｅＳＩＭのような遠隔でプロファイルを書き込み可能なＳＩＭには、コンシューマ向けｅＳＩＭと呼ばれるタイプと、Ｍ２Ｍ向けｅＳＩＭ（或いはテレマティクスｅＳＩＭ）と呼ばれるタイプとがある。コンシューマ向けｅＳＩＭと呼ばれるタイプは、個人ユーザと通信サービスの契約がなされるｅＳＩＭであり、その契約がなされるまでは移動通信網を介した通信を許容しないようになっている。今までに説明した通信装置１０のＳＩＭはこのコンシューマ向けｅＳＩＭと呼ばれるタイプである。これに対し、Ｍ２Ｍ向けｅＳＩＭと呼ばれるタイプは、法人ユーザと通信サービスの契約がなされるｅＳＩＭであり、その出荷段階で移動通信網を介した通信を行い得るようになっている。以下に説明する、プロファイルの書込動作では、車載移動局６０のＳＩＭ６００７が、コンシューマ向けｅＳＩＭとＭ２Ｍ向けｅＳＩＭとの双方の機能を備えていることを前提とし、法人である車両製造メーカが通信サービスを契約したＭ２Ｍ向けｅＳＩＭによる通信機能を利用することで、通信装置１０及び車載移動局６０のユーザが契約するコンシューマ向けｅＳＩＭにプロファイルを書き込む。
【００５１】
車載移動局６０は、移動通信網の基地局から報知される基地局情報に基づいて、自装置に対して通信サービスを提供可能な通信事業者（つまり、車載移動局６０の現在位置を通信サービスの提供エリアに含む通信事業者）を提示する機能を備えている。図１１において、車載移動局６０がその通信事業者の一覧を表示等によってユーザに提示すると（ステップＳ４１）、ユーザは、その一覧から、車載移動局６０の通信サービスの契約先として自身が希望する通信事業者を指定する操作を行う。この通信事業者の一覧を提示するとき、車載移動局６０は、ＧＰＳ（Global Positioning System）等の測位機能を用いて自身の位置を測定し、その位置を通信サービスエリアに含む通信事業者をユーザに提示するようにしてもよい。
【００５２】
車載移動局６０は通信事業者を指定する操作を受け付けると（ステップＳ４２）、自装置のＳＩＭ６００７のＭ２Ｍ向けｅＳＩＭ用の記憶領域に対して、指定された通信事業者の契約情報管理装置４０の通信アドレスを接続先として書き込む（ステップＳ４３）。ここで、各通信事業者の契約情報管理装置４０の通信アドレスの一覧も予め車載移動局６０のストレージ６００３に記憶されており、車載移動局６０はユーザにより指定された通信事業者の契約情報管理装置４０の通信アドレスをＳＩＭ６００７に書き込めばよい。
【００５３】
車載移動局６０は、ＳＩＭ６００７のＭ２Ｍ向けｅＳＩＭによる通信機能を用いて、ＳＩＭ６００７に書き込まれた通信アドレスを接続先として契約情報管理装置４０と通信接続し、ＳＩＭ６００７のＳＩＭ識別情報を契約情報管理装置４０に通知する。この通知に応じて、契約情報管理装置４０は、車載移動局６０のＳＩＭ６００７のＳＩＭ識別情報に対応するプロファイルを、車載移動局６０のＳＩＭ６００７に書き込む（ステップＳ４４）。より具体的には、契約情報管理装置４０は、ＳＩＭ６００７のＭ２Ｍ向けｅＳＩＭによる通信機能を用いて、車載移動局６０のＳＩＭ６００７のコンシューマ向けＳＩＭのＳＩＭ識別情報に対応するプロファイルを、車載移動局６０に送信する。車載移動局６０は、ＳＩＭ６００７のコンシューマ向けＳＩＭ用の記憶領域にこのプロファイルを書き込む。
【００５４】
次に、車載移動局６０はユーザに対し認証情報の入力を促して、ユーザが認証情報を入力すると、その入力操作を受け付ける（ステップＳ４５）。車載移動局６０のストレージ６００３には情報処理装置２０の通信アドレスが予め記憶されており、車載移動局６０はＭ２Ｍ向けｅＳＩＭによる通信機能を用いて、入力された認証情報をＳＩＭ６００７のＳＩＭ識別情報とともに、上記通信アドレスを用いて情報処理装置２０に送信する（ステップＳ４６）。
【００５５】
情報処理装置２０は、車載移動局６０から取得した認証情報を、取得したＳＩＭ識別情報に対応付けて記憶している認証情報と照合する認証処理を行う（ステップＳ４７）。認証処理を終えると、情報処理装置２０は、ＳＩＭ６００７のＭ２Ｍ向けｅＳＩＭによる通信機能を用いて、その認証結果を車載移動局６０に送信する（ステップＳ４８）。車載移動局６０は、認証が成功した場合はＳＩＭ６００７のコンシューマ向けＳＩＭ用の記憶領域に書き込まれているプロファイルを活性化する処理を行い、認証が失敗した場合は上記プロファイルを非活性化する処理を行う（ステップＳ４９）。これにより、認証情報を知っている正当なユーザの意向に従って、ＳＩＭ６００７を活性化することができる。
【００５６】
（２−２）プロファイル書込動作の第２の動作例
図１２は、プロファイル書込動作の第２の動作例を示すシーケンスチャートである。この第２の動作例においても、上記第１の動作例と同様に、車載移動局６０のＳＩＭ６００７が、コンシューマ向けｅＳＩＭとＭ２Ｍ向けｅＳＩＭとの双方の機能を備えていることを前提とし、Ｍ２Ｍ向けｅＳＩＭによる通信機能を利用して、コンシューマ向けｅＳＩＭにプロファイルを書き込む。図１２において、車載移動局６０は、Ｍ２Ｍ向けｅＳＩＭによる通信機能を用いて、コンシューマ向けｅＳＩＭのＳＩＭ識別情報を情報処理装置２０に送信する（ステップＳ５１）。情報処理装置２０は、取得したＳＩＭ識別情報から特定される通信事業者の通信事業者特定情報（具体的にはその通信事業者の契約情報管理装置４０の通信アドレス）を車載移動局６０に送信する（ステップＳ５２）。車載移動局６０は、自装置のＳＩＭ６００７のコンシューマ向けｅＳＩＭ用の記憶領域に対して、取得した契約情報管理装置４０の通信アドレスを接続先として書き込む（ステップＳ５３）。
【００５７】
次に、車載移動局６０はユーザに対し認証情報の入力を促して、ユーザが認証情報を入力すると、その入力操作を受け付ける（ステップＳ５４）。車載移動局６０は、Ｍ２Ｍ向けｅＳＩＭによる通信機能を用いて、入力された認証情報をＳＩＭ６００７のコンシューマ向けｅＳＩＭのＳＩＭ識別情報とともに情報処理装置２０に送信する（ステップＳ５５）。
【００５８】
情報処理装置２０は、車載移動局６０から取得した認証情報を、取得したＳＩＭ識別情報に対応付けて記憶している認証情報と照合する認証処理を行う（ステップＳ５６）。認証処理を終えると、情報処理装置２０は、ＳＩＭ６００７のＭ２Ｍ向けｅＳＩＭによる通信機能を用いて、その認証結果を車載移動局６０に送信する（ステップＳ５７）。
【００５９】
認証が成功した場合、車載移動局６０は、コンシューマ向けｅＳＩＭの機能を用いて、ＳＩＭ６００７のコンシューマ向けｅＳＩＭ用の記憶領域に書き込まれた通信アドレスを接続先として契約情報管理装置４０と通信接続し、コンシューマ向けｅＳＩＭのＳＩＭ識別情報を契約情報管理装置４０に通知する。契約情報管理装置４０は、通知されたＳＩＭ識別情報に対応するプロファイルを、車載移動局６０のＳＩＭ６００７のコンシューマ向けｅＳＩＭ用の記憶領域に書き込む（ステップＳ５８）。より具体的には、契約情報管理装置４０は、ＳＩＭ６００７のＭ２Ｍ向けｅＳＩＭによる通信機能を用いて、車載移動局６０のＳＩＭ６００７のコンシューマ向けＳＩＭのＳＩＭ識別情報に対応するプロファイルを、車載移動局６０に送信する。車載移動局６０は、ＳＩＭ６００７のコンシューマ向けＳＩＭ用の記憶領域にこのプロファイルを書き込む。
【００６０】
車載移動局６０は、認証が成功した場合は、ＳＩＭ６００７のコンシューマ向けｅＳＩＭ用の記憶領域に書き込まれているプロファイルを活性化する処理を行う（ステップＳ５９）。これにより、認証情報を知っている正当なユーザの意向に従って、ＳＩＭ６００７を活性化することができる。
【００６１】
（２−３）プロファイル書込動作の第３の動作例
図１３は、プロファイル書込動作の第３の動作例を示すシーケンスチャートである。この第３の動作例においても、上記第１の動作例と同様に、車載移動局６０のＳＩＭ６００７が、コンシューマ向けｅＳＩＭとＭ２Ｍ向けｅＳＩＭとの双方の機能を備えていることを前提とし、Ｍ２Ｍ向けｅＳＩＭによる通信機能を利用して、コンシューマ向けｅＳＩＭにプロファイルを書き込む。
【００６２】
図１３において、車載移動局６０は、Ｍ２Ｍ向けｅＳＩＭによる通信機能を用いて、コンシューマ向けｅＳＩＭのＳＩＭ識別情報を情報処理装置２０に送信する（ステップＳ６０）。情報処理装置２０は、車載移動局６０のＳＩＭ６００７のＭ２Ｍ向けｅＳＩＭに対して、取得したコンシューマ向けｅＳＩＭのＳＩＭ識別情報に対応付けて記憶している認証情報及び事業者特定情報（具体的にはその通信事業者の契約情報管理装置４０の通信アドレス）を送信する（ステップＳ６１）。車載移動局６０は認証情報及び事業者特定情報を取得すると、自装置のＳＩＭ６００７のコンシューマ向けｅＳＩＭ用の記憶領域に、上記事業者特定情報によって特定される通信事業者の契約情報管理装置４０の通信アドレスを接続先として書き込む（ステップＳ６２）。
【００６３】
次に、車載移動局６０はユーザに対し認証情報の入力を促して、ユーザが認証情報を入力すると、その入力操作を受け付ける（ステップＳ６３）。車載移動局６０は、入力された認証情報を、情報処理装置２０から取得した認証情報と照合する認証処理を行う（ステップＳ６４）。認証が成功すると、車載移動局６０は、Ｍ２Ｍ向けｅＳＩＭの通信機能を用いて、ＳＩＭ６００７に書き込まれた通信アドレスを接続先として契約情報管理装置４０と通信接続し、ＳＩＭ６００７のコンシューマ向けｅＳＩＭのＳＩＭ識別情報を契約情報管理装置４０に通知する。契約情報管理装置４０は、通知されたＳＩＭ識別情報に対応するプロファイルを、車載移動局６０のＳＩＭ６００７のコンシューマ向けｅＳＩＭ用の記憶領域に書き込む（ステップＳ６５）。車載移動局６０は、認証が成功した場合は、ＳＩＭ６００７に書き込まれているプロファイルを活性化する処理を行う（ステップＳ６６）。これにより、認証情報を知っている正当なユーザの意向に従って、ＳＩＭ６００７を活性化することができる。
【００６４】
次に、通信システム１の機能構成について説明する。まず、図１４は、（１−１）プロファイル登録動作の第１の動作例又は（１−２）プロファイル登録動作の第２の動作例と、（２−１）プロファイル書込動作の第１の動作例とを実施する場合の機能構成の一例を示すブロック図である。情報処理装置２０において、第１取得部２１は、車両情報管理装置３０から、車載移動局６０のＳＩＭ６００７のＳＩＭ識別情報と、車載移動局６０に通信サービスを提供する通信事業者を特定する通信事業者特定情報とを取得する。記憶部２２は、第１取得部２１により取得されたＳＩＭ識別情報及び通信事業者特定情報を、車載移動局６０のユーザを認証する認証情報と対応付けて記憶する。通知部２３は、第１取得部２１により取得された通信事業者特定情報によって特定される通信事業者とユーザとの間で通信サービスに関する契約がなされると、認証情報を通信装置１０に通知する。第２取得部２４は、車載移動局６０において入力された認証情報と車載移動局６０のＳＩＭ識別情報とを、車載移動局６０から取得する。認証部２５は、第２取得部２４により取得された認証情報及び車載移動局６０のＳＩＭ識別情報と、記憶部２２によって記憶されている認証情報及び車載移動局６０のＳＩＭ識別情報とを照合してユーザ認証を行う。活性化部２６は、ユーザ認証が成功すると、契約情報管理装置４０によってプロファイルが書き込まれている車載移動局６０のＳＩＭ６００７を活性化させる。
【００６５】
次に、図１５は、（１−１）プロファイル登録動作の第１の動作例又は（１−２）プロファイル登録動作の第２の動作例と、（２−２）プロファイル書込動作の第２の動作例とを実施する場合の機能構成の一例を示すブロック図である。情報処理装置２０において、第１取得部２０１は、車両情報管理装置３０から、車載移動局６０のＳＩＭのＳＩＭ識別情報と、車載移動局６０に通信サービスを提供する通信事業者を特定する通信事業者特定情報とを取得する。記憶部２０２は、第１取得部２０１により取得されたＳＩＭ識別情報及び通信事業者特定情報を、車載移動局６０のユーザを認証する認証情報と対応付けて記憶する。第１通知部２０３は、第１取得部２０１により取得された通信事業者特定情報によって特定される通信事業者とユーザとの間で通信サービスに関する契約がなされると、認証情報をユーザの通信装置１０に通知する。第２取得部２０４は、車載移動局６０からその車載移動局６０のＳＩＭ識別情報を取得する。第２通知部２０５は、第２取得部２０４により取得されたＳＩＭ識別情報に対応付けて記憶部２０２によって記憶されている通信事業者特定情報を、車載移動局６０に通知する。第３取得部２０６は、車載移動局６０において入力された認証情報とその車載移動局６０のＳＩＭ識別情報とを、車載移動局６０から取得する。認証部２０７は、第３取得部２０６により取得された認証情報及び車載移動局６０のＳＩＭ識別情報と、記憶部２０２によって記憶されている認証情報及び車載移動局６０のＳＩＭ識別情報とを照合してユーザ認証を行う。活性化部２０８は、ユーザ認証が成功すると、契約情報管理装置４０によってプロファイルが書き込まれている車載移動局６０のＳＩＭ６００７を活性化させる。
【００６６】
次に、図１６は、（１−１）プロファイル登録動作の第１の動作例又は（１−２）プロファイル登録動作の第２の動作例と、（２−３）プロファイル書込動作の第３の動作例とを実施する場合の機能構成の一例を示すブロック図である。情報処理装置２０において、第１取得部２１１は、車両情報管理装置３０から、車載移動局６０のＳＩＭのＳＩＭ識別情報と、車載移動局６０に通信サービスを提供する通信事業者を特定する通信事業者特定情報とを取得する。記憶部２１２は、第１取得部２０１により取得されたＳＩＭ識別情報及び通信事業者特定情報を、車載移動局６０のユーザを認証する認証情報と対応付けて記憶する。通知部２１３は、第１取得部２１１により取得された通信事業者特定情報によって特定される通信事業者とユーザとの間で通信サービスに関する契約がなされると、認証情報をユーザの通信装置１０に通知する。第２取得部２１４は、車載移動局６０からその車載移動局６０のＳＩＭ識別情報を取得する。第２通知部２１５は、第２取得部２１４により取得されたＳＩＭ識別情報に対応付けて記憶部２１２によって記憶されている通信事業者特定情報及び認証情報を車載移動局６０に通知する。活性化部２１６は、車載移動局６０においてユーザ認証が成功すると、契約情報管理装置４０によってプロファイルが書き込まれている車載移動局６０のＳＩＭ６００７を活性化させる。
【００６７】
以上に説明した実施形態によれば、ユーザにとって簡便な方法で車載移動局の開通を実現することができる。
【００６８】
［変形例］
本発明は、上述した実施形態に限定されない。上述した実施形態を以下のように変形してもよい。また、以下の２つ以上の変形例を組み合わせて実施してもよい。
［変形例１］
上記実施形態において、通信事業者特定情報としてｅＩＤ又はＩＣＣＩＤを例示したが、通信事業者特定情報はこの例に限定されず、通信事業者を特定し得る情報であればどのようなものであってもよい。例えば、ＳＩＭにＩＭＳＩ（International Mobile Subscriber Identity）が記憶されている場合、このＩＭＳＩを通信事業者特定情報として用いてもよい。
【００６９】
［変形例２］
プロファイル登録動作及びプロファイル書込動作を次のようにしてもよい。図１７は、通信システム１におけるプロファイル登録動作の変形例を示すシーケンスチャートである。図１７において、ステップＳ１１〜ステップＳ１９及びステップＳ２３は、図５のステップＳ１１〜ステップＳ１９及びステップＳ２３と同じ動作である。ステップＳ１９において、契約情報管理装置４０が契約完了通知を情報処理装置２０に送信すると、情報処理装置２０は、前述したような認証情報を生成せずに、図１８に示すように、通信事業者特定情報（例えば「ＩＣＣＩＤ００１」）及びＳＩＭ識別情報（例えば「ｅＩＤ００１」）に対応付けて、「契約有り」という情報を記憶する（ステップＳ１０１）。そして、情報処理装置２０は、車両情報管理装置３０に対して、ＳＩＭ識別情報（例えば「ｅＩＤ００１」）を含む契約完了通知を送信する（ステップ１０２）。車両情報管理装置３０は、図１９に示すように、ユーザＩＤ（例えば「Ｕ００１」）及び車両識別情報（例えば「Ｃ００１」）のほか、上記のＳＩＭ識別情報（例えば「ｅＩＤ００１」）に対応付けて、契約有無を示す情報（ここでは「契約有り」）をストレージに記憶する（ステップＳ１０３）。
【００７０】
次に、図２０は、この変形例におけるプロファイル書込動作を示すシーケンスチャートである。図２０において、ステップＳ４１〜ステップＳ４４は、図１１のステップＳ４１〜ステップＳ４４と同じ動作である。ステップＳ４４において契約情報管理装置４０がプロファイルを車載移動局６０のＳＩＭ６００７に書き込んだ後に、ユーザは、車載移動局６０のＳＩＭ６００７のＭ２Ｍ向けｅＳＩＭによる通信機能を用いて、車両情報管理装置３０にアクセスし、ユーザＩＤ及びパスワード等の入力を経てログインを行う（ステップＳ１１１）。ユーザがユーザＩＤを用いて車両情報管理装置３０にログインすると、車両情報管理装置３０は、図１９に示した記憶内容を参照し、そのログインにより正当性が認証されたユーザのユーザＩＤに基づいて、そのユーザについての通信サービスの契約有無を確認する（ステップＳ１１２）。そして、契約情報管理装置４０は、ＳＩＭ６００７のＭ２Ｍ向けｅＳＩＭによる通信機能を用いて、その確認結果を車載移動局６０に送信する（ステップＳ１１３）。車載移動局６０は、通信サービスの契約があることが確認された場合は、ＳＩＭ６００７のコンシューマ向けＳＩＭ用の記憶領域に書き込まれているプロファイルを活性化する処理を行い、通信サービスの契約があることが確認されなかった場合は、上記プロファイルを非活性化する処理を行う（ステップＳ１１４）。以上のように、車両情報管理装置３０にログインすることができた正当なユーザの意向に従って、ＳＩＭ６００７を活性化することができる。つまり、ユーザを特定してそのユーザを認証し得る何らかの情報を用いることによって、正当なユーザに対して通信サービスを提供することができるようになる。
【００７１】
［その他の変形例］
上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００７２】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio Access）、Ｗ−ＣＤＭＡ（登録商標）、ＧＳＭ（登録商標）、Ｃ
ＤＭＡ２０００、ＵＭＢ（Ultra Mobile Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００７３】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した取得の順序に限定されない。
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、その所定の情報の通知を行わない）ことによって行われてもよい。
【００７４】
本明細書で使用する「システム」及び「通信網」という用語は、互換的に使用される。
【００７５】
本明細書で説明した情報又はパラメータなどは、絶対値で表されてもよいし、所定の値からの相対値で表されてもよいし、対応する別の情報で表されてもよい。例えば、無線リソースはインデックスで指示されるものであってもよい。
【００７６】
上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【００７７】
本開示においては、「基地局（ＢＳ：Base  Station）」、「無線基地局」、「固定局（fixed station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（transmission  point）」、「受信ポイント（reception point）、「送受信ポイント（transmission/reception  point）」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Ｒｅｍｏｔｅ  Ｒａｄｉｏ  Ｈｅａｄ））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【００７８】
本明細書で使用する「判定（determining）」、「決定（determining）」という用語は、多種多様な動作を包含する場合がある。「判定」、「決定」は、例えば、判定（judging）、計算（calculating）、算出（computing）、処理（processing）、導出（deriving）、調査（investigating）、探索（lookingup）（例えば、通信条件テーブル、データベース又は別のデータ構造での探索）、確認（ascertaining）  した事を「判定」「決定」したとみなす事などを含み得る。また、「判定」、「決定」は、受信（receiving）（例えば、情報を受信すること）、送信（transmitting）（例えば、情報を送信すること）、入力（input）、出力（output）、アクセス（accessing）（例えば、メモリ中のデータにアクセスすること）した事を「判定」「決定」したとみなす事などを含み得る。また、「判定」、「決定」は、解決（resolving）、選択（selecting）、選定（choosing）、確立（establishing）、比較（comparing）などした事を「判定」「決定」したとみなす事を含み得る。つまり、「判定」「決定」は、何らかの動作を「判定」「決定」したとみなす事を含み得る。
【００７９】
本発明は、通信装置１０又は通信システム１において行われる処理のステップを備える情報処理方法として提供されてもよい。また、本発明は、通信装置１０において実行されるプログラムとして提供されてもよい。かかるプログラムは、光ディスク等の記録媒体に記録した形態で提供されたり、インターネット等の通信網を介して、コンピュータにダウンロードさせ、これをインストールして利用可能にするなどの形態で提供されたりすることが可能である。
【００８０】
ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術の少なくとも一方は、伝送媒体の定義内に含まれる。
【００８１】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００８２】
本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。また、コンポーネントキャリア（ＣＣ）は、キャリア周波数、セルなどと呼ばれてもよい。
【００８３】
本明細書で使用する「第１」、「第２」などの呼称を使用した要素へのいかなる参照も、それらの要素の量又は順序を全般的に限定するものではない。これらの呼称は、２つ以上の要素間を区別する便利な方法として本明細書で使用され得る。従って、第１及び第２要素への参照は、２つの要素のみがそこで採用され得ること、又は何らかの形で第１要素が第２要素に先行しなければならないことを意味しない。
【００８４】
上記の各装置の構成における「手段」を、「部」、「回路」、「デバイス」等に置き換えてもよい。
【００８５】
「含む（ｉｎｃｌｕｄｉｎｇ）」、「含んでいる（ｃｏｍｐｒｉｓｉｎｇ）」、及びそれらの変形が、本明細書或いは特許請求の範囲で使用されている限り、これら用語は、用語「備える」と同様に、包括的であることが意図される。さらに、本明細書或いは特許請求の範囲において使用されている用語「又は（or）」は、排他的論理和ではないことが意図される。
【００８６】
本開示の全体において、例えば、英語でのa、an、及びtheのように、翻訳により冠詞が追加された場合、これらの冠詞は、文脈から明らかにそうではないことが示されていなければ、複数のものを含むものとする。
【００８７】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８８】
１：通信システム、２：通信網、１０：通信装置、２０：情報処理装置、２１：第１取得部、２２：記憶部、２３：通知部、２４：第２取得部、２５：認証部、２６：活性化部、２０１：第１取得部、２０２：記憶部、２０３：第１通知部、２０４：第２取得部、２０５：第２通知部、２０６：第３取得部、２０７：認証部、２０８：活性化部、２１１：第１取得部、２１２：記憶部、２１３：通知部、２１４：第２取得部、２１５：第２通知部、２１６：活性化部、３０：車両情報管理装置、４０：契約情報管理装置、１００１：プロセッサ、１００２：メモリ、１００３：ストレージ、１００４：通信装置、１００５：入力装置、１００６：出力装置、１００７：ＳＩＭ、２００１：プロセッサ、２００２：メモリ、２００３：ストレージ、２００４：通信装置、２００５：入力装置、２００６：出力装置、６００１：プロセッサ、６００２：メモリ、６００３：ストレージ、６００４：通信装置、６００５：入力装置、６００６：出力装置、６００７：ＳＩＭ。
【図１】
2020235626.tif 000003
【図２】
2020235626.tif 000004
【図３】
2020235626.tif 000005
【図４】
2020235626.tif 000006
【図５】
2020235626.tif 000007
【図６】
2020235626.tif 000008
【図７】
2020235626.tif 000009
【図８】
2020235626.tif 000010
【図９】
2020235626.tif 000011
【図１０】
2020235626.tif 000012
【図１１】
2020235626.tif 000013
【図１２】
2020235626.tif 000014
【図１３】
2020235626.tif 000015
【図１４】
2020235626.tif 000016
【図１５】
2020235626.tif 000017
【図１６】
2020235626.tif 000018
【図１７】
2020235626.tif 000019
【図１８】
2020235626.tif 000020
【図１９】
2020235626.tif 000021
【図２０】
2020235626.tif 000022
【国際調査報告】
2020235626.tif 000023
2020235626.tif 000024
2020235626.tif 000025
2020235626.tif 000026